(57)【要約】【課題】ボルトあるいはナットのような固着具を装着後、その表面に防錆塗料を塗布する等、回り止め処置をしたとしても、経時変化によって変形する度合いに応じて、確実に隙間の発生を防止可能な自動締付具を提供する。【解決手段】木質梁Ａ，Ｂどうしを締め付け固着するボルト１とナット２の一端側と木質梁Ａ，Ｂとの間に装着することにより、ボルト１とナット２と被締結部材との間に隙間を生じないように自動的に修正する。円周方向に傾斜する傾斜面を有して被締結部材上に摺動可能に載置される楔部材６と、ボルト１とナット２の一端側を支持すると共に、楔部材６の傾斜面と係合して傾斜面に沿って摺動可能な、円周方向に傾斜した接触部を有する支持部材５と、楔部材６と支持部材５とに係合して楔部材６の楔作用が進行する円周方向に常時付勢するコイルバネ８とを有する。【選択図】図１
2007016882.tif 000002
【特許請求の範囲】
【請求項１】
被締結部材どうしを締め付け固着する固着具の一端側と被締結部材との間に装着することにより、前記固着具と被締結部材との間に隙間を生じないように自動的に修正する自動締付具であって、
円周方向に傾斜する傾斜面を有して前記被締結部材上に摺動可能に載置される楔部材と、
前記固着具の一端側を支持すると共に、前記楔部材の傾斜面と係合して前記傾斜面に沿って摺動可能な、円周方向に傾斜した接触部を有する支持部材と、
前記楔部材と支持部材とに係合して前記楔部材の楔作用が進行する円周方向に常時付勢する付勢部材とを有することを特徴とする自動締付具。
【請求項２】
前記楔部材の傾斜面が、円周方向に複数に略均等に分割されていると共に、分割された各接触面の傾斜角度が、５〜１２°である請求項１記載の自動締付具。
【請求項３】
前記付勢部材がコイルバネであり、前記楔部材が前記コイルバネの一端を支持・固定する支持部を有していると共に、前記支持部材が前記コイルバネの他端を固定する固定部を有する請求項１又は２記載の自動締付具。
【請求項４】
被締結部材どうしを締め付け固着する固着具の一端側と被締結部材との間に装着することにより、前記固着具と被締結部材との間に隙間を生じないように自動的に修正する自動締付具であって、
案内部と傾斜面とを有して前記被締結部材上に摺動可能に載置される楔部材と、
前記固着具の一端側を支持すると共に、前記楔部材の案内部と係合して、前記傾斜面に沿って摺動可能な傾斜した接触部を有する支持部材と、
前記楔部材の一端部側の左右幅方向２箇所と前記支持部材の他端部側の左右幅方向２箇所とにそれぞれ係合して、前記楔部材の楔作用が進行する方向に常時付勢する付勢部材を有することを特徴とする自動締付具。
【請求項５】
前記楔部材の傾斜面の傾斜角度が５〜１２°である請求項４記載の自動締付具。
【請求項６】
前記付勢部材が、前記楔部材の一端部側の左右幅方向２箇所と前記支持部材の他端部側の左右幅方向２箇所とにそれぞれ係合する２本の略同一ばね特性を有するコイルバネである請求項４又は５記載の自動締付具。
【請求項７】
被締結部材どうしを締め付け固着する固着具の一端側と被締結部材との間に装着することにより、前記固着具と被締結部材との間に隙間を生じないように自動的に修正する自動締付具であって、
前記被締結部材上に載置される下部支持部材と、前記固着具の一端側を支持する上部支持部材との間に挟持され、案内部と傾斜面とを有して、前記上下支持部材間に摺動可能な楔部材と、
この楔部材の端部側と前記下部支持部材とにそれぞれ係合して、前記楔部材の楔作用が進行する方向に常時付勢する付勢部材とを有していて、
前記上下部支持部材が、前記楔部材の案内部と係合して、前記傾斜面に沿って摺動可能な傾斜した接触部を有することを特徴とする自動締付具。
【請求項８】
前記楔部材は、その摺動方向に位置する２個の楔部材からなると共に、前記付勢部材は、これら２個の楔部材が互いに向き合う方向に付勢する請求項７記載の自動締付具。
【請求項９】
前記楔部材が、表裏面に略等しい傾斜角度を有する傾斜面を有していて、その傾斜角度は合わせて５〜１２°である請求項７又は８記載の自動締付具。
【発明の詳細な説明】
【技術分野】
【０００１】
この発明は自動締付具に関し、詳しくは、被締結部材どうしを締め付け固着する固着具の一端側と被締結部材との間に装着することにより、前記固着具と被締結部材との間に隙間を生じないように自動的に修正する自動締付具に関する。
【背景技術】
【０００２】
木造建築において、梁どうし、柱と梁などを接合するような場合、金属製ボルトとナットといった固着具による締結方法が多く用いられる。しかしながら、木質材料はその性質上、建築年月の経過に伴い、水分が蒸発したり水分を吸収したりすることから、寸法変化は避けられず、当然のことながら、固着具で締めつけていた箇所は、固着具と梁などとの間に隙間が生じる可能性がある。例えば、建築後１０年程度の経過で２〜５％程度収縮すると言われており、木質材料に対する固着具の締結箇所は必然的に隙間が生じ、耐震性の劣化など、種々の弊害をもたらす可能性がある。
【０００３】
そこで、木質材料どうしをボルトとナットで締めつけた場合、ボルトあるいはナットの締めつけ方向に対して常に付勢力を与えることにより、ネジの自動締め付け機能を付与した締付装置が提案されている（例えば、特許文献１）。
【０００４】
この提案は、ゼンマイバネを付勢手段として用い、ゼンマイバネの一端側をボルトあるいはナットと回転不能に係合すると共に、他端側を装置のケーシングに係止するものであり、ボルトあるいはナットの締め付け力が、木質材料の経時変化によって、木質材料と固着具との間に隙間を生じたとしても、ゼンマイバネの付勢力をボルトあるいはナットの締め付け回転方向に常時作用させることによって、ボルトあるいはナットとの隙間を生じないようにするものである。
【０００５】
【特許文献１】特開平１１−２７０５３８号公報
【発明の開示】
【発明が解決しようとする課題】
【０００６】
しかしながら、上記従来技術では、建築作業終了後もボルトあるいはナットが回転可能な状態にあることを前提としたものであり、建築作業終了後にボルトあるいはナットを回転不能状態にしている箇所には、ほとんど作用しないという問題がある。すなわち、通常の建築現場においては、ボルトあるいはナットを用いて固着後、ボルトあるいはナットに対してその表面に防錆塗料を塗布したり、回り止め剤を付着させたりする等、回り止め処置を行い、ネジ部分を固化させてしまうことが一般的であるため、ゼンマイバネ程度の付勢力では、ボルトあるいはナットを容易に締め付ける方向に回転させることができない。
【０００７】
つまり、上記従来技術のゼンマイバネは、ナットを被嵌するケーシング内の狭い空間に配置されており、たかだかそのトルクは５０ｋｇ・ｃｍ程度にすぎず、大きな付勢力を発揮することができない。仮に、ゼンマイバネのバネ力を強くして、締付装置を装着した側のボルトあるいはナットを回転させるようにしたとしても、バネ力の大きなゼンマイバネを収納するケーシングが被締結部材の幅より大きくなって、取り付けできなくなったりする。無理に取り付けたとしても、反対側のナットあるいはボルトも供回りしてしまい、結局、締付装置を装着した側のボルトあるいはナットを回転させて締め付け、隙間の空いたボルトあるいはナットとの隙間をなくすことはできない。
【０００８】
そこで、本発明の目的は、上記従来技術の問題点に鑑みて、ボルトあるいはナットのような固着具を装着後、その表面に防錆塗料を塗布する等、回り止め処置をしたとしても、経時変化によって変形する度合いに応じて、確実に隙間の発生を防止可能な自動締付具を提供することにある。
【課題を解決するための手段】
【０００９】
上記目的は各請求項記載の発明により達成される。すなわち、本発明に係る自動締付具の特徴構成は、被締結部材どうしを締め付け固着する固着具の一端側と被締結部材との間に装着することにより、前記固着具と被締結部材との間に隙間を生じないように自動的に修正する自動締付具であって、円周方向に傾斜する傾斜面を有して前記被締結部材上に摺動可能に載置される楔部材と、前記固着具の一端側を支持すると共に、前記楔部材の傾斜面と係合して前記傾斜面に沿って摺動可能な、円周方向に傾斜した接触部を有する支持部材と、前記楔部材と支持部材とに係合して前記楔部材の楔作用が進行する円周方向に常時付勢する付勢部材とを有することにある。
【００１０】
この構成によれば、木質梁、柱、土台、胴差し、筋かい、垂木などのような被締結部材の経時変化の結果、その収縮が徐々に進行すると、固着具と被締結部材との間に隙間が生じるようになるが、隙間が生じ始めると付勢部材に付勢された楔部材が支持部材との間で摺動し始め、隙間量に応じて楔部材が前進するので、被締結部材の経時変化に対しても隙間が生じなくなり、固着具と被締結部材との間に隙間が生じないこととなる。しかも、楔部材の傾斜面が、円周方向に傾斜しているので、径を変更するだけで、高い傾斜面を容易に確保でき、それでいて全体をコンパクトな構成にすることができる。また、このように構成されていると、たとえ装着後に固着具の表面に防錆塗料を塗布する等、回り止めがなされたとしても、固着具自体を回転させる必要がないので、固着具と被締結部材との間に生じた隙間を、何ら支障なく確実に防止できる。
【００１１】
その結果、ボルトあるいはナットのような固着具を装着後、その表面に防錆塗料を塗布する等、回り止め処置をしたとしても、経時変化によって変形する度合いに応じて、確実に隙間の発生を防止可能な自動締付具を提供することができた。
【００１２】
前記楔部材の傾斜面が、円周方向に複数に略均等に分割されていると共に、分割された各接触面の傾斜角度が、５〜１２°であることが好ましい。
【００１３】
この構成によれば、より付勢力の小さい付勢部材を使用でき、それでいて固着具と被締結部材との間に隙間が生じて楔部材が付勢部材によって付勢される場合、隙間が大きくなるほど固着具と被締結部材との固着力が強くなって隙間の発生を防止する効果が大きくなる、いわゆる楔効果をより効果的に発揮できる。しかも、楔部材の傾斜面が、円周方向に複数に略均等に分割されていることから、回転方向での変位が円周方向で均等に分散され、変位が安定して生じることになる。また、傾斜角度が５°未満であると、楔部材の進行方向長さを長くする必要があり、１２°を超えると楔効果が小さくなり、より強い付勢力の付勢部材が必要となる。
【００１４】
前記付勢部材がコイルバネであり、前記楔部材が前記コイルバネの一端を支持・固定する支持部を有していると共に、前記支持部材が前記コイルバネの他端を固定する固定部を有することが好ましい。
【００１５】
この構成によれば、楔部材と支持部材が一方向に常時付勢する構成を確実に達成できる。
【００１６】
また、本発明に係る自動締付具の特徴構成は、被締結部材どうしを締め付け固着する固着具の一端側と被締結部材との間に装着することにより、前記固着具と被締結部材との間に隙間を生じないように自動的に修正する自動締付具であって、案内部と傾斜面とを有して前記被締結部材上に摺動可能に載置される楔部材と、前記固着具の一端側を支持すると共に、前記楔部材の案内部と係合して、前記傾斜面に沿って摺動可能な傾斜した接触部を有する支持部材と、前記楔部材の一端部側の左右幅方向２箇所と前記支持部材の他端部側の左右幅方向２箇所とにそれぞれ係合して、前記楔部材の楔作用が進行する方向に常時付勢する付勢部材を有することにある。
【００１７】
この構成によっても、ボルトあるいはナットのような固着具を装着後、その表面に防錆塗料を塗布する等、回り止め処置をしたとしても、経時変化によって変形する度合いに応じて、確実に隙間の発生を防止可能な自動締付具を提供することができる。
【００１８】
前記楔部材の傾斜面の傾斜角度が、５〜１２°であることが好ましい。
【００１９】
この構成によれば、楔効果を確実かつより効果的に発揮できる。
【００２０】
前記付勢部材が、前記楔部材の一端部側の左右幅方向２箇所と前記支持部材の他端部側の左右幅方向２箇所とにそれぞれ係合する２本の略同一ばね特性を有するコイルバネであることが好ましい。
【００２１】
この構成によれば、楔部材と支持部材とが均等な付勢力によって互いに摺動するので、鎖部材と支持部材とが略均等な引っ張り付勢されて都合がよい。しかも、付勢部材としてコイルバネを用いると安価であり、組み立てが容易で組み立て作業効率が高くなる。
【００２２】
更に又、本発明に係る自動締付具の特徴構成は、被締結部材どうしを締め付け固着する固着具の一端側と被締結部材との間に装着することにより、前記固着具と被締結部材との間に隙間を生じないように自動的に修正する自動締付具であって、前記被締結部材上に載置される下部支持部材と、前記固着具の一端側を支持する上部支持部材との間に挟持され、案内部と傾斜面とを有して、前記上下支持部材間に摺動可能な楔部材と、
この楔部材の端部側と前記下部支持部材とにそれぞれ係合して、前記楔部材の楔作用が進行する方向に常時付勢する付勢部材とを有していて、
前記上下部支持部材が、前記楔部材の案内部と係合して、前記傾斜面に沿って摺動可能な傾斜した接触部を有することにある。
【００２３】
この構成によっても、ボルトあるいはナットのような固着具を装着後、その表面に防錆塗料を塗布する等、回り止め処置をしたとしても、経時変化によって変形する度合いに応じて、確実に隙間の発生を防止可能な自動締付具を提供することができる。
【００２４】
前記楔部材は、その摺動方向に位置する２個の楔部材からなると共に、前記付勢部材は、これら２個の楔部材が互いに向き合う方向に付勢することが好ましい。
【００２５】
この構成によれば、楔部材の均等な摺動移動が可能になり、安定した変位をもたらす。
【００２６】
前記楔部材が、表裏面に略等しい傾斜角度を有する傾斜面を有していて、その傾斜角度は合わせて５〜１２°であることが好ましい。
【００２７】
この構成によれば、楔効果を確実かつより効果的に発揮できる。
【発明を実施するための最良の形態】
【００２８】
以下、本発明の実施形態に係る自動締付具について、金属製ボルトとナットとの組み合わせからなる固着具を、被締結部材である木質梁どうしの連結に用いた場合を例に挙げて、図面を参照して詳細に説明する。
＜第１実施形態＞
第１実施形態の自動締付具Ｇ１は、図１に示すように、２つの木製梁Ａ，Ｂを、ボルト１とナット２によって固着する場合、ナット２側のワッシャー３を介してナット２と梁Ａとの間に挿入され装着される。すなわち、この自動締付具Ｇ１は、下方側の梁Ｂから上方側の梁Ａに向けて、下方側のワッシャー４を介して挿入されたボルト１の脚をボルト挿通孔に嵌入させると共に、上方側の梁Ａ上に載置されたナット２側のワッシャー３を介して、ボルト１の脚に嵌入したナット２を締め付け固着するようになっている。なお、図１では、上方側の梁Ａの固着具挿入用凹部Ｐを利用して自動締付具Ｇ１を固着具挿入用凹部Ｐ内に挿入して、２つの木製梁Ａ，Ｂを固着する例を示したが、本自動締付具Ｇ１を用いる場合、このような利用に限定されるものではなく、凹部Ｐのない木製梁どうしを締結することは、もとより可能である。
【００２９】
自動締付具Ｇ１は、木製梁Ａ上に載置される外形が略円形をした楔部材６と、この楔部材６上に配置され、ボルトの一端側に装着されるナット２を支持する支持部材５との２個の部材を互いに重ね合わせて構成されていて、図２はボルトとナットを装着した支持部材５の平面構造を示し、図３はボルトとナット、及び支持部材５を除いた楔部材６の平面構造を示す。
【００３０】
更に、図１に示すように、支持部材５、楔部材６の各張出部５ａ，６ａの間で、かつこれら部材５，６の心部５ｂ，６ｂの外周面に、コイルバネ（付勢部材に相当）８が巻回されている。コイルバネ８は、その一端側が楔部材６の心部６ｂに穿たれた有底穴（固定部に相当）６ｄに挿入されて、容易に外れないように固定されると共に、他端部８ａは、支持部材５の張出部５ａどうしの間に配置され、８個設けられている張出部５ａの１の側面（支持部に相当）に接当されて、支持部材５の張出部５ａを一方向に付勢するようになっている。つまり、コイルバネ８により支持部材５または楔部材６は、常時、円周方向（本実施形態の場合、時計廻りの方向）に付勢されるため、長年の経過により木製梁どうしが収縮してボルトとナットとの間に隙間が生じるようになっても、その隙間を無くす方向に楔作用を発揮することになる。
【００３１】
支持部材５は、その上面に形成され幾分凹みを有するワッシャー挿入凹部５ｅにワッシャー３を挿入し、その上面にナット２を配置・支持すると共に、上記したように、心部５ｂの外周面から拡径方向に略等間隔で張り出す８個の張出部５ａを有している。更に、心部５ｂの下面には、図１に示すように、円周方向に略均等に３分割（約１２０°の開き角）された、一方向に傾斜する傾斜面（接触部に相当）５ｃを有する。この傾斜面５ｃを有する支持部材５の展開図を、図４に示す。図４において、線Ｃ−Ｃが１８０°展開した位置を表す。この傾斜面５ｃは、楔部材６の心部６ｂの上面に形成された傾斜面６ｃと接当して、円周方向に摺動しつつ回転可能になっている。もとより、支持部材５の張出部５ａの数は、８個に限定されるものではなく、他の個数が形成されていてもよい。
【００３２】
支持部材５の傾斜面５ｃは、必ずしも分割されている必要はないが、均等に分割されていると、木製梁Ａ，Ｂの径年変化によって収縮する場合に、支持部材５、楔部材６の摺動移動によって受ける負荷が均等に分散され、これら部材５，６が摺動移動する時点のいずれにおいても、安定した変位が生じることとなって好ましい。もとより傾斜面５ｃの分割は２分割でもよく、外径が大きい場合には、更に分割数を増やしてもよい。
【００３３】
楔部材６は、図３に平面構造を示すように、支持部材５の３分割された傾斜面５ｃに面接触可能なように、同様に円周方向に３分割された傾斜面６ｃを備えると共に、中心部にボルト挿通孔６ｅを有する。もとより、同様なボルト挿通孔は、支持部材５の中心部にも設けられている。なお、図番１０は、自動締付具Ｇ１を木質梁どうしの連結に装着すべくボルトとナットを締結するまでの間、支持部材５、楔部材６が回転移動しないようにするための仮止め用ビス孔であり、図２に示すように、支持部材５にも形成されている同様なビス孔を通してビス９が装着される。従って、図１に示すビス９は、木質梁Ａ，Ｂどうしがボルト１とナット２で締結された後は取り外される。
【００３４】
楔部材６の傾斜面６ｂの角度は、楔効果を発揮させるためには１７°以下である必要があり、５〜１２°程度が好ましく、楔部材６の各傾斜面６ｂの高さが約５ｍｍ以上あれば、木質材料の約１０年の経時変化に対処できる。なお、支持部材５の傾斜面５ｂの角度についても、楔部材６の傾斜面６ｂと面接触することから略同様となる。
【００３５】
このように、支持部材５は楔部材６の傾斜面と係合してこの傾斜面に沿って摺動可能な、円周方向に傾斜した接触部を有し、楔部材６は円周方向に傾斜する傾斜面を有して被締結部材である木質梁上に摺動可能に載置され、これら支持部材５と楔部材６との摺動面は、常時接触しているため、この面に塵芥などの異物が混入する余地はなく、長年の配置に対しても摺動機能を損なうことがない。しかも、楔部材（およびこれに係合する支持部材）の傾斜角度が円周方向に高くなるように形成されていることから、この自動締付具Ｇ１は全体がコンパクトで、それでいて木質梁どうしの経年変化による生じる可能性のある隙間の発生を、確実に防止できる効果を発揮する。なお、図示はしないが、楔部材または支持部材に、楔部材の摺動移動が進行して最大高さ（隙間が最大）に達した後、更に回転して最大高さから落下することを阻止する、回転を止めるストッパー機構が設けられていてもよい。
＜第２実施形態＞
第２実施形態の自動締付具Ｇ２は、ボルト挿通孔１１に、図１に示したボルト１の脚を挿通させ、２つの梁をボルトとナットによって固着・締結し、ナット側の座金を介してナットと一方の梁との間に挿入され装着される点は、第１実施形態の場合と同様である。
【００３６】
この自動締付具Ｇ２は、図５〜７に示すように、梁上に摺動可能に載置可能となっていると共に、案内部１６ａと傾斜面１６ｂとを有する楔部材１６と、この楔部材１６の傾斜面１６ｂ上を案内部１６ａに沿って摺動可能な傾斜した接触部１５ａを有すると共にナット２を支持する支持部材１５と、楔部材１６と支持部材１５とに係合して楔部材１６の楔作用が進行し楔効果が大きくなる方向に常時付勢するコイルバネ（付勢部材に相当）１７と、を有して構成されている。
【００３７】
楔部材１６の案内部１６ａは、楔部材１６の幅方向中央部に所定幅を有しており、支持部材１５の接触部１５ａが摺動する傾斜面１６ｂの傾斜と略同等な勾配を有していると共に、幅方向中央部にボルト１を挿通させるための挿通孔（図示略）が形成されている。楔部材１６の傾斜面１６ｂの角度は、第１実施形態で説明した楔部材６の場合と同様である。又、楔部材１６の一端部の左右両側面には、コイルバネ１７の一端側を固定する係止突起１６ｃが形成されている。この係止突起１６ｃは、楔部材１６の一端部の幅方向に形成された軸挿通孔に、楔部材１６の幅より長い、ねじ切りした軸を挿通して形成されていてもよく、要は、コイルバネ１７の両端を支持できればよい。
【００３８】
更に、コイルバネ１７の他端側を固定する支持部材１５の係止突起１５ｃが、支持部材１５の他端側に設けられている。この係止突起１５ｃも、楔部材１６の係止突起１６ｃと同様にして、設けることができる。このように、コイルバネ１７の一端側が、鎖部材１６の係止突起１６ｃに係止され、コイルバネ１７の他端側が、支持部材１５の係止突起１５ｃに係止されることにより、鎖部材１６と支持部材１５とが、コイルバネ１７により引っ張り付勢されることになる。
【００３９】
支持部材１５は、楔部材１６の傾斜面１６ｂに載置され案内部１６ａにて案内される傾斜面を備えた接触部１５ａを有すると共に、上面にボルト挿通孔（図示略）を有して構成されている。この支持部材１５は、接触部１５ａが接する、楔部材１６の案内部１６ａの両側面と傾斜面１６ｂ上を摺動することになる。
【００４０】
コイルバネ１７は、幅方向左右に設けられている２本共、略同等なバネ特性を有することが好ましい。コイルバネ１７の一端１７ａは、上記したように、楔部材１６の係止突起１６ｃに引っかけられて係止しており、他端１７ｂは、支持部材１５の係止突起１５ｃに引っかけられて係止しているので、幅方向左右に設けられている２本のコイルバネ１７が略同等なバネ特性を有すると、鎖部材１６と支持部材１５とが略均等な引っ張り付勢される。
【００４１】
そして、２つの梁どうしを締め付け固定するためのボルトとナットを用いて、自動締付具Ｇ２を使用する場合、予め、コイルバネ１７による引っ張り付勢力に抗して、図５に示す位置に鎖部材１６と支持部材１５を配置し、この状態で仮固定するため、ビス孔１４にビス（図示略）を挿通し、鎖部材１６と支持部材１５とを固定する。現場において施工する場合、この状態でボルトをボルト挿通孔１１にボルトを挿通し、ナットを締め付け強固に固定する。その後、仮止め用ビスを取り外すと、梁が経年変化によって収縮するようなことがあっても、ボルト・ナットとの間に生じた隙間を無くし、修正すべく楔部材１６がコイルバネ１７によって付勢され、ボルト・ナットの間に生じる可能性のある隙間の発生を防止するので、ボルト・ナットとの間に隙間は生じることがない。
【００４２】
支持部材１５の長さは、図６に示すように、楔部材１６の長さより幾分短くなっているが、もとより、両者は同じ長さにしてもよい。その場合、楔部材１６の傾斜面１６ｂ上に塵芥などが付着し難くなって好ましい。また、コイルバネ１７には、これを覆うカバー部材により被覆されていてもよい。このようにすると、コイルバネ１７に塵芥などが集積し難くなって都合がよい。
【００４３】
支持部材１５は、上面部材１５ｂと下面部材１５ｄとから構成されているが、これらは、例えば、図８，９に変形例を示すように、一体のものであってもよい。
【００４４】
すなわち、図８，９は、脚付座金２０上に載置された２つの木製梁Ａ，Ｂを、ボルト１とナット２によって固着する自動締付具Ｇ２’を示す。
【００４５】
この自動締付具Ｇ２’は、幅方向左右の２箇所の傾斜面２６ａを有する楔部材２６と、この楔部材２６上に載置され、その傾斜面２６ａと摺動する接触面２５ａを有すると共にボルト１とナット２の組み合わせの一端を支持する支持部材２５と、楔部材２６と支持部材２５とに係合して楔部材２６の楔作用が進行し楔効果が大きくなる方向に常時付勢するコイルバネ２７と、を有して構成されている。
【００４６】
自動締付具Ｇ２’の機能は、第２実施形態に示した自動締付具Ｇ２の場合と略同等であるが、部品点数が少なく、より低コストで製造できる。図番２２は、楔部材２６が摺動するために設けられている長孔であり、図番２３は、コイルバネ２７の一端を係止する楔部材２６の端部凹所に係合する軸であり、図番２４は、コイルバネ２７の他端を係止する支持部材２５の端部凹所に係合する軸である。
【００４７】
＜第３実施形態＞
第３実施形態の自動締付具Ｇ３は、ボルト挿通孔にボルトの脚を挿通させて、２つの梁をボルトとナットによって固着・締結し、ナット側の座金を介してナットと一方の梁との間に挿入され装着される点は、第１，２実施形態の場合と同様である。以下、第３実施形態の自動締付具Ｇ３を、図１０〜１５を参照して説明する。
【００４８】
この自動締付具Ｇ３は、上下部支持部材３５，３７と、これら上下部支持部材３５，３７の間に挟持され、摺動方向（図１０〜１５において紙面に対し左右方向）に移動可能かつ左右に分割された２個の楔部材３６と、下部支持部材３７の四隅に形成されているコイルバネ支持柱３７ａに巻回された付勢部材たる４個のコイルバネ３８と、から構成されている。
【００４９】
下部支持部材３７は、例えば、図１４にも示すように、脚付座金２０上に載置・固定されるようになっていて、中心部にボルト挿通孔３１を有していると共に、ボルト挿通孔３１を挟む左右に楔部材３６が摺動移動可能な案内溝３７ｂが形成されている。案内溝３７ｂは、両短辺側の端部中央から長手方向（摺動方向と同じ）にわたり溝状の凹みを有すると共に、図１１に正面構造を示すように、短辺側の端部からボルト挿通孔３１に向けて徐々に高くなる傾斜角度を有する。この傾斜角度は、上部支持部材３５の傾斜面と合わせて１７°以下であり、従って、案内溝３７ｂの傾斜角度は１７／２°以下となっている。もっとも、第１，２実施形態で説明したと同様に、傾斜角度は５〜１２°がより好ましく、従って、案内溝３７ｂの傾斜角度も、５／２〜１２／２°がより好ましい。
【００５０】
上部支持部材３５は、図１２に示すように、中心部にボルト挿通孔３５ａを有すると共に、四隅が切り欠かれて、コイルバネ支持柱３７ａに巻回されたコイルバネ３８を視認可能になっている。上部支持部材３５の裏面側は、図１４に示すように、下部支持部材３７の表面側と対向するように、短辺側端部から中央部に向けて傾斜角度が大きくなるように傾斜面を有する。このようになっていることから、下部支持部材３７と併せて、上下部支持部材間に挟持された楔部材３６が上下部支持部材の端部側より中央部に向けて進行するに伴い、４箇所のコイルバネ３８に付勢されて楔効果を発揮し得るようになる。図番３５ｂは、楔部材３６が摺動する案内溝であり、下部支持部材３７に形成されている案内溝３７ｂと同様に、両短辺側の端部中央から長手方向（摺動方向と同じ）に溝状の凹みを有して構成されている。
【００５１】
コイルバネ３８は、図１３に示すように、コイルバネ支持柱３７ａに巻回されていて、その一端部３８ａは、下部支持部材３７の四隅に形成されているコイルバネ支持柱３７ａ近傍の切欠部３７ｃに引っ掛けられていると共に、他端部３８ｂは楔部材３６の後部と係合するようになっていて、自動締付具Ｇ３を梁Ａ，Ｂに固着・締結する固着具のナットと一方の梁との間に挿入し装着する際には、楔部材３６を常時付勢するように作用する。もっとも、この自動締付具Ｇ３を装着する前（固着具による締付前）は、上下部支持部材３５，３７とコイルバネ３８とを仮止めするため、第１，２実施形態の場合と同様に、仮止め用ビス（図示略）を用いる。図番３９は、仮止め用ビスを挿通するビス孔である。
【００５２】
楔部材３６は、図１３に破線で示すように、その内側がボルト挿通孔に挿通されたボルトの外周に沿うように、平面視で半円弧状に形成されていると共に、全体が略Ｃ字状に形成されていて、上下支持部材３５，３７の左右の短辺側端より、短辺側の略中央部からボルト挿通孔に向けて左右から摺動移動可能になっている。したがって、楔部材３６の上下中央部は、溝状の凹みを有する下部支持部材の案内溝３７ｂと上部支持部材の案内溝３５ｂとにはまり込むように、幾分突状に形成されていると共に、外周面側から内側に向けて厚みが薄くなるように楔形状を有する。楔部材３６の外周側は、コイルバネ支持柱３７ａに巻回されているコイルバネ３８の他端側と接当するようになっている。
【００５３】
そして、自動締付具Ｇ３が梁Ａ，Ｂの固着・締結に使用されて、ボルト・ナットが締結され、仮止め用ビスが取り外されると、コイルバネ３８によって、楔部材３６の外周側が常時付勢されるようになる。この場合、楔部材３６の外周側は、二隅のコイルバネ支持柱３７ａに巻回されている２個のコイルバネ３８によって略均等に付勢されるので、楔部材３６は安定した摺動移動が可能になる。２個のコイルバネ３８によって付勢された楔部材３６が、最終的な位置に移動した状態を図１５に示す。その場合、上部支持部材３５は高さｈだけ上方に押し上げられることになる。ここに、楔部材３６の上下中央部に形成され、上下部支持部材の案内溝３５ｂ，３７ｂにはまり込む突状部分が案内部に相当し、この案内部の左右箇所が傾斜面に相当する。また、上下部支持部材３５，３７に形成されている案内溝３５ｂ，３７ｂの周辺部は、楔部材３６の案内部と係合して、楔部材３６の傾斜面に沿って摺動可能な接触部に相当する。
【００５４】
このように、本実施形態の自動締付具Ｇ３は、長手方向に摺動移動する楔部材３６が、長手方向の左右から中央部に向けて集合移動するように付勢されているので、楔部材の左右均等な摺動移動が可能になり、安定した変位をもたらす。のみならず、例えボルトあるいはナットに回り止め処置が施されていたとしても、何ら支障はなく、確実に隙間の発生を阻止できることになる。
〔別実施の形態〕
（１）上記実施形態では、被締結部材として木質梁どうしの連結を例に挙げて説明したが、経時変化を生じる対象であれば、木質材料どうしである必要はなく、一方の部材として木質材料を用いると共に他方の部材として木質材料以外のものを用いた連結、更には、歪あるいは撓みを生じる金属材どうしの連結のような場合にも、本発明を適用することができる。
（２）上記実施形態では、ボルトとナットの組み合わせに適用する例を示したが、これに限定されるものではなく、羽子板ボルト、アンカーボルト、両引きボルト、ノブボルト、腰高羽子板ボルト、コーチスクリューボルトなど各種ボルト、各種ナットなどの固着具に適用できるものであり、固着具の材質も金属製のみならず、樹脂製固着具などに対しても適用できる。
【図面の簡単な説明】
【００５５】
【図１】本発明の第１実施形態に係る自動締付具Ｇ１の装着を説明する断面図
【図２】図１の自動締付具を構成するナットとボルトを挿入した上部部材の平面図
【図３】図１の自動締付具を構成する下部部材（ナットとボルトを取り外した状態）の平面図
【図４】傾斜面を有する支持部材の展開図
【図５】本発明の第２実施形態に係る自動締付具Ｇ２の平面図
【図６】図５の自動締付具Ｇ２の付勢部材を取り外した状態を示す正面図
【図７】図６の自動締付具の付勢部材を装着した状態を示す右側面図
【図８】第２実施形態に係る自動締付具の変形例Ｇ２’を示す平面図
【図９】図８の自動締付具の取り付け状態を示す正面図
【図１０】第３実施形態に係る自動締付具を構成する下部支持部材を示す平面図
【図１１】図１０の下部支持部材を示す正面図
【図１２】第３実施形態に係る自動締付具を構成する上部支持部材を示す平面図
【図１３】第３実施形態に係る自動締付具Ｇ３を示す平面図
【図１４】図１３の自動締付具を示す正面図
【図１５】付勢部材により付勢され楔部材が移動した状態を示す図１４と同様な正面図
【符号の説明】
【００５６】
１，２          固着具
５              支持部材
５ｃ            接触部
６              楔部材
６ｃ            傾斜面
６ｄ            固定部
８，１７        付勢部材
１５            支持部材
１５ａ          接触部
１６            楔部材
１６ａ          案内部
１６ｂ          傾斜面
２７，３８      付勢部材
３５            上部支持部材
３６            楔部材
３７            下部支持部材
Ａ，Ｂ          被締結部材
【図１】
2007016882.tif 000003
【図２】
2007016882.tif 000004
【図３】
2007016882.tif 000005
【図４】
2007016882.tif 000006
【図５】
2007016882.tif 000007
【図６】
2007016882.tif 000008
【図７】
2007016882.tif 000009
【図８】
2007016882.tif 000010
【図９】
2007016882.tif 000011
【図１０】
2007016882.tif 000012
【図１１】
2007016882.tif 000013
【図１２】
2007016882.tif 000014
【図１３】
2007016882.tif 000015
【図１４】
2007016882.tif 000016
【図１５】
2007016882.tif 000017